(57)【要約】【課題】  直接レンズに触れることなく照射方向を変えることのできる室内照明灯を提供する。【解決手段】レンズ54の前方に設けたフィン40を回動させることによりベゼル部52を一体的に回動させることができるので、従来のようにレンズ54に触れることなく照射方向を調整することができる。これにより、レンズ54が熱くなっている場合でも安心して方向調整することができる。また、レンズ54に直接触れないので、レンズ54が汚れて照度が低下するのを防止することができる。加えて、フィン40が光の散乱を防止するので、運転者や他の乗員を眩しくするのを防止することができる。【選択図】  図１
2005129286.tif 000002
【特許請求の範囲】
【請求項１】
車体に固定される本体と、前記本体に設けられた支持部に回動可能に支持されるとともに光源からの光を透過可能なレンズを有するベゼル部とを備え、前記本体に対して前記ベゼル部を回動させて光軸の向きを調整可能な室内照明灯であって、
前記レンズの前方に、前記ベゼル部と一体で回動するフィンを設けたことを特徴とする室内照明灯。
【請求項２】
前記フィンを構成する複数枚の平行な板材を、前記光源と照射対象とを結ぶ方向と平行に設けたことを特徴とする請求項１に記載した室内照明灯。
【発明の詳細な説明】
【技術分野】
【０００１】
本発明は室内照明灯に係り、例えば自動車のドアや天井等に取り付けられる室内照明灯に関する。
【背景技術】
【０００２】
従来の室内照明灯としては、例えば図８に示すようなものが開示されている（例えば、特許文献１参照）。
この室内照明灯は、例えばワゴン車のバックドアに取り付けて使用するものであり、照射方向を変えることにより、ワゴン車の後部に設けられているラゲッジルームや開けたバックドアの下方を照らすことができるようになっている。
【０００３】
図８に示すように、この室内照明灯100は、バックドアの壁面を形成するトリム101にランプハウジング102が取り付けられており、このランプハウジング102の前方には円形の開口103が設けられている。この開口103から後方（図８において右方）には、球面状の内面を有するランプ支持部104が設けられており、このランプ支持部104の内側には、部分球面状をしたランプ本体105が所定範囲で３６０度回転自在に設けられている。ランプ本体105の内部にはバルブ106が装着されており、前面（図８において左面）には、ランプハウジング102の開口103から突出するレンズ部107が設けられている。このレンズ部107と開口103との間にスペースＳが設けられており、ランプ本体105の回転量を規制している。
【０００４】
【特許文献１】特開２０００−１１４１号公報（第３頁、第４図）
【発明の開示】
【発明が解決しようとする課題】
【０００５】
ところで、前述した室内照明灯100においては、バルブ106を装着したランプ本体105が所定範囲で３６０度方向変換することが可能になっており、レンズ部107を手で回動させることにより方向変換が行われている。この際、長時間の使用によりレンズ部107が熱く（例えば65℃程度）なっている場合には、レンズ部107に直接手が触れると火傷の虞れがあり、特に子供には注意を要するという問題があった。また、レンズ部107が熱くなっていない場合でも、レンズ部107を直接手で触れるとレンズ部107が汚れて照度が低下する虞れがあるという不都合があった。
【０００６】
本発明は、前述した問題点に鑑みてなされたものであり、その目的は、直接レンズに触れることなく照射方向を変えることのできる室内照明灯を提供することにある。
【課題を解決するための手段】
【０００７】
前述した目的を達成するために、本発明は、車体に固定される本体と、前記本体に設けられた支持部に回動可能に支持されるとともに光源からの光を透過可能なレンズを有するベゼル部とを備え、前記本体に対して前記ベゼル部を回動させて光軸の向きを調整可能な室内照明灯であって、前記レンズの前方に、前記ベゼル部と一体で回動するフィンを設けたことを特徴としている。
【０００８】
このように構成された室内照明灯においては、レンズの前方に設けたフィンを回動させることによりベゼル部を一体的に回動させることができるので、従来のようにレンズに直接触れることなく照射方向を調整することができる。これにより、レンズが熱くなっている場合でも安心して方向調整することができる。また、レンズに直接触れないので、レンズが汚れて照度が低下するのを防止することができる。
【０００９】
また、本発明は、前記フィンを構成する複数枚の平行な板材を、前記光源と照射対象とを結ぶ方向と平行に設けたことを特徴としている。
【００１０】
このように構成された室内照明灯においては、フィンの板材が光源と照射対象とを結んだ方向と平行となっているので、光の散乱を防止することができ、他の者を眩しくするのを防止することができる。
【発明の効果】
【００１１】
本発明によれば、レンズの前方に設けたフィンを回動させることによりベゼル部を一体的に回動させることができるので、従来のようにレンズに触れることなく照射方向を調整することができる。これにより、レンズが熱くなっている場合でも安心して方向調整することができる。また、レンズに直接触れないので、レンズが汚れて照度が低下するのを防止することができる。
【発明を実施するための最良の形態】
【００１２】
以下、本発明に係る実施形態を図面に基づいて詳細に説明する。図１は本発明に係る室内照明灯の実施形態を示す分解斜視図、図２は図１においてII方向から見た室内照明灯の背面図、図３は図２においてIII方向から見た斜視図、図４は本発明に係る室内照明灯を車体に取り付けた状態を示す断面図である。
【００１３】
図１に示すように、本発明の実施形態である室内照明灯10は、車室内12（図４参照）に露出する意匠部20と、この意匠部20の内側にあって、各種電気部品等が取り付けられている本体としての機能部本体30とを有している。
図４に示すように、この室内照明灯10は、意匠部20を車体11の内側に設けられている内装材（トリム）13に取り付けることにより取り付けられており、予め内装材13の裏側に配線されているワイヤハーネスＷ／Ｈに容易に接続可能となっている。
【００１４】
図１から図３に示すように、意匠部20は、表面21ａが車室内12に露出する例えば矩形状をしたハウジング21を有しており、このハウジング21の中央部には左右のスイッチ51Ｌ、51Ｒを車室内12に露出させるためのスイッチ穴22Ｌ、22Ｒが設けられている。また、ハウジング21の左右部分には、左右のランプ50Ｌ、50Ｒを車室内12に露出させるためのランプ穴23Ｌ，23Ｒが設けられている。各ランプ穴23Ｌ，23Ｒには、機能部本体30をハウジング21に取り付けるための略円柱状の取付部24がハウジング21の裏面21ｂから内側に向かって設けられている。なお、ハウジング21の裏面21ｂには、ハウジング21を車室内12の天井の内装材13に取り付けるためのクリップ25（図４参照）が設けられている。
【００１５】
図１から図３に示すように、機能部本体30は全体長円形のハウジング状部材であり、左右両端部にはランプ50Ｌ、50Ｒを収容するランプ収容穴31Ｌ、31Ｒを有している。また、機能部本体30の中央部には、両ランプ収容穴31Ｌ、31Ｒの間に、スイッチ51Ｌ、51Ｒを取り付けるためのスイッチ収容部32Ｌ、32Ｒを有している。なお、スイッチ51Ｌ、51Ｒは、その接続端子にワイヤハーネスＷ／Ｈの先端に取り付けられているコネクタ14を取り付けることにより、容易に着脱可能となっている（図４参照）。
【００１６】
両ランプ収容穴31Ｌ、31Ｒの縁は、ランプ50Ｌ、50Ｒを支持する支持部としての円形のリング部材33が各々設けられている。各リング部材33には機能部本体30の裏側（図１において右側）に突出した円柱状のガイド部材38が設けられており、左右のガイド部材38は対向する部分が切り欠かれていて、スイッチ51Ｌ，51Ｒや光源であるバルブ37等の各種電気部品が装着可能となっている。ガイド部材38は、装着される全ての電気部品等よりも背が高く、電気部品等が車体11に衝突するのを防止する働きがある。左右のガイド部材38の内部には各々バルブ37が取り付けられるようになっている。なお、バルブ37の後方（図３において上方）には反射板37ａが設けられており、バルブ37から発せられる光を効率よく所望の方向へ照射するようになっている。
【００１７】
図１に示すように、リング部材33の内周面を例えば三等分した位置には、摺接部材34を取り付けるための摺接部材取付凹部35が設けられている。摺接部材34は、摺接部材取付凹部35に差し込んで取り付けられる。
摺接部材34は、金属製の弾性を有する略Ｔ字状の部材であり、常時球面52ａに弾性力により押圧されている。なお、摺接部材34は、樹脂製であってもよく、略Ｔ字状以外の形状であってもよい。
【００１８】
図１に示すように、ランプ収容穴31Ｌ、31Ｒのリング部材33の外側には案内部36が一段突出して設けられている。この案内部36の外側面は、摺接部材34を摺接部材取付凹部35に嵌入して取り付けた際に、隣接する摺接部材34間を同心円状に埋めるものであり、摺接部材34による摺動面の先端を結ぶ同心円（球面52ａ）よりも内側に位置するように設けられている。
また、リング部材33の外側面には、機能部本体30を取り付けるための係止爪39が適宜の間隔で複数個設けられている。従って、係止爪39とリング部材33との間に意匠部20の取付部24を挟むことにより、機能部本体30と意匠部20のハウジング21とを結合している。
【００１９】
図１に示すように、意匠部20と機能部本体30との間には、左右のランプ50Ｌ，50Ｒが取り付けられている。なお、左右のランプ50Ｌ，50Ｒは同じものなので、以下の説明においては特に必要な場合を除き、単にランプ50として説明する。
ランプ50は、外ベゼル52、内ベゼル53、レンズ54等を有しており、バルブ37から発せられる光線を所定の方向へ照射するものである。
【００２０】
ベゼル部としての外ベゼル52は、先端部分が意匠部20のランプ穴23Ｌ，23Ｒから車室内12に突出する大きさであり、全体部分球状をしていて内面には凹状の球面52ａが形成されている。また、中央にはレンズ54が嵌る窓52ｂを有している。
内ベゼル53は、円柱状のベゼル本体53ａと、このベゼル本体53ａにヒンジ53ｃを介して開閉自在に設けられているレンズ押え53ｂとを有している。従って、レンズ54の凸面をベゼル本体53ａの後端部に嵌め、レンズ押え53ｂを閉じることによりレンズ54を保持している。
そして、内ベゼル53を外ベゼル52の内側に係合することにより、内ベゼル53が外ベゼル52に対して二重係止されている。
【００２１】
左右のランプ50Ｌ，50Ｒは、各々機能部本体30のランプ収容穴31Ｌ，31Ｒに回動自在、かつ、所定位置に固定可能に取り付けられている。すなわち、図１に示すように、機能部本体30に取り付けられている３個の摺接部材34が外ベゼル52の内側に位置し、弾性的に球面52ａに押圧される。これにより、外ベゼル52は機能部本体30に対して回動可能、かつ、所望の位置に固定可能となる。
【００２２】
レンズ54の前方には、複数枚の幅細の板材41を平行に並べたフィン40が設けられている。このフィン40は、外ベゼル52と一体で回動するように例えば外ベゼル52に取り付けられており、フィン40を持って外ベゼル52を回動させることにより照射方向を調整することができるようになっている。フィン40は、外ベゼル52と一体的に形成することができるが、別体で形成して外ベゼル52に取り付けるようにしてもよい。
【００２３】
フィン40の板材41は、バルブ37と照射対象とを結ぶ方向と平行になるように角度がつけられている。従って、バルブ37および反射板37ａがレンズ54に対してオフセットして設けられている場合には、図５に示すように、板材41が傾けられる。なお、図６に示すように、バルブ37および反射板37ａがレンズ54の軸線上に設けられて真っ直ぐに光線を照射する場合には、板材41はレンズ54の軸線に平行に真っ直ぐに取り付けられることになる。なお、各板材41がレンズ54に直接接触しないようにするのがよいが、光が漏れないように間隔を狭くする。例えば０．５ｍｍ程度とするのがよい。
【００２４】
以上、前述した室内照明灯10によれば、レンズ54の前方に設けたフィン40を回動させることにより外ベゼル52を一体的に回動させることができるので、従来のようにレンズ54に触れることなく照射方向を調整することができる。これにより、レンズ54が熱くなっている場合でも安心して方向調整することができる。また、レンズ54に直接触れないので、指で触れることによりレンズ54が汚れて照度が低下するのを防止することができる。
また、フィン40の板材41が照射方向に平行に設けられているので、他の者に光が照射されるのを防止することができる。特に、ルームミラー15を介して光線が運転者の目に届くのを防止して、運転の妨げとなるのを防止することができる。
【００２５】
なお、本発明の室内照明灯10は、前述した実施形態に限定されるものでなく、適宜な変形，改良等が可能である。
例えば、前述した実施形態においては、左右一対のランプ50Ｌ、50Ｒを有する２灯式の室内照明灯10について説明しているが、ランプ50の数は任意であり、図７（Ａ）に示すように、１個のランプ50を有する１灯式の室内照明灯10Ａを車体の左右両側壁に1個ずつ設ける場合にも適用することができる。このようにしても、前述した実施形態と同様の作用・効果を得ることができるとともに、さらに、図７（Ｂ）に示すように、フィン40の板材４１の向きが照射方向と平行になっているので、隣に座っているものに光が照射して眩しくするのを防止することができる。
なお、前述した実施形態では、フィン40の板材41の傾斜角度をバルブ37と照射対象とを結んだ照射方向と平行に固定して設けたが、板材41の角度を変更可能とすることもできる。
【００２６】
その他、前述した実施形態において例示した摺接部材，外ベゼル，内ベゼル，機能部本体，意匠部ハウジング等の材質，形状，寸法，形態，数，配置個所等は本発明を達成できるものであれば任意であり、限定されない。
【図面の簡単な説明】
【００２７】
【図１】本発明に係る室内照明灯の実施形態を示す分解斜視図である。
【図２】図１においてII方向から見た室内照明灯の背面図である。
【図３】図２においてIII方向から見た斜視図である。
【図４】本発明に係る室内照明灯を車体に取り付けた状態を示す断面図である。
【図５】バルブおよびレンズの位置とフィンの板材の角度との関係の一例を示す断面図である。
【図６】バルブおよびレンズの位置とフィンの板材の角度との関係の別の例を示す断面図である。
【図７】（Ａ）は車室の左右両側壁に室内照明灯を設けた場合を示す説明図、（Ｂ）は効果を示す説明図である。
【図８】従来の室内照明灯の一例を示す断面図である。
【符号の説明】
【００２８】
10  室内照明灯
11  車体
30  機能部本体（本体）
33  リング部材（支持部）
37  バルブ（光源）
40  フィン
41  板材
52  外ベゼル（ベゼル部）
54  レンズ
【図１】
2005129286.tif 000003
【図２】
2005129286.tif 000004
【図３】
2005129286.tif 000005
【図４】
2005129286.tif 000006
【図５】
2005129286.tif 000007
【図６】
2005129286.tif 000008
【図７】
2005129286.tif 000009
【図８】
2005129286.tif 000010